(57)【要約】      （修正有）【課題】簡易な手法で画像を表示可能なフォトスタンド等を提供することを目的とする。【解決手段】携帯電話機と通信して画像を表示部１７に表示可能なフォトスタンド７は、携帯電話機により送られる電子メールを受信する受信部９と、受信した電子メールに画像データが添付されているか否かを判別する判別部１１と、判別結果により画像データが添付されていた場合に当該画像データを記憶する記憶部１３と、記憶された画像データによる画像を表示部１７に自動的に表示させる制御部１５とを備える。さらに、フォトスタンド７は、制御部１５によるスクリーンセーバ機能も有し、表示部１７に表示された画像が一定期間切り替わっていない場合等に動作し、フォトスタンド７は写真立てとしての役割のみでなく、例えば３Ｄグラフィックスのような画像を表示できる。【選択図】図２
0003131620.tif 000002
【実用新案登録請求の範囲】
【請求項１】
携帯電話機と通信して画像を表示部に表示可能なフォトスタンドであって、
前記携帯電話機により送られる電子メールを受信する受信部と、
前記受信部が受信した電子メールに画像データが添付されているか否かを判別する判別部と、
前記判別部の判別結果により画像データが添付されていた場合に当該画像データを記憶する記憶部と、
前記記憶部に記憶された画像データによる画像を前記表示部に自動的に表示させる制御部とを備えたフォトスタンド。
【請求項２】
前記受信部が前記電子メールを受信したことを報知する報知部を備えた、請求項１記載のフォトスタンド。
【請求項３】
前記制御部は、前記判別部の判別結果により画像データが添付されていない場合には表示部が表示する画像を維持する、請求項１又は２記載のフォトスタンド。
【請求項４】
画像データを記憶する他の記憶部と、
前記他の記憶部に記憶された画像データによる画像を前記表示部に表示させる制御部とを備えた請求項１から３のいずれかに記載のフォトスタンド。
【請求項５】
前記画像データに代えてスクリーンセーバ機能による画像を前記表示部に表示させる制御部とを備えた請求項１から４のいずれかに記載のフォトスタンド。
【請求項６】
画像を表示部に表示可能な表示装置であって、
画像データが含まれた情報を受信する受信部と、
前記受信部が受信した情報に画像データが含まれているか否かを判別する判別部と、
前記判別部の判別結果により画像データが含まれていた場合に当該画像データを記憶する記憶部と、
前記記憶部に記憶された画像データによる画像を前記表示部に自動的に表示させる制御部とを備えた表示装置。
【請求項７】
前記受信部が受信する情報には、携帯電話機により送られる電子メールが含まれる、請求項６記載の表示装置。
【請求項８】
画像表示システムであって、
請求項１からと５のいずれかに記載のフォトスタンド又は請求項６若しくは７記載の表示装置と、
請求項１からと５のいずれかに記載のフォトスタンド又は請求項６若しくは７記載の表示装置と通信可能な画像配信装置とを備え、
前記画像配信装置は、
請求項１からと５のいずれかに記載のフォトスタンド又は請求項６若しくは７記載の表示装置に送信される複数の画像データを記憶する配信データ記憶部と、
前記配信データ記憶部に記憶された複数の画像データを請求項１からと５のいずれかに記載のフォトスタンド又は請求項６若しくは７記載の表示装置に順次配信する配信部とを有し、
請求項１からと５のいずれかに記載のフォトスタンド又は請求項６若しくは７記載の表示装置は、前記表示部によって前記配信された画像データによる画像を表示する、画像表示システム。
【請求項９】
前記画像配信装置の配信部は、ユーザがＷｅｂサイトにより設定した情報に応じた画像データを配信する、請求項８記載の画像表示システム。
【請求項１０】
画像印刷システムであって、
請求項１からと５のいずれかに記載のフォトスタンド又は請求項６若しくは７記載の表示装置と、
情報通信ネットワークを介して請求項１からと５のいずれかに記載のフォトスタンド又は請求項６若しくは７記載の表示装置の表示部によって表示される画像を印刷可能な印刷装置とを備えた、画像印刷システム。
【考案の詳細な説明】
【技術分野】
【０００１】
本考案は、フォトスタンド、表示装置、画像表示システム、及び画像印刷システムに関し、特に電子メールを受信して添付された画像データによる画像を表示可能なフォトスタンド（写真立て）等に関する。
【背景技術】
【０００２】
特許文献１から４に示されているように、種々の画像データを表示可能な写真立て（フォトスタンド）が提案されている。
【０００３】
また、特許文献５に示されているように、カラーファクシミリ等を利用した画像通信装置も提案されている。
【０００４】
【特許文献１】特開平９−３０８５５８号公報
【特許文献２】特開１０−８３１４６号号公報
【特許文献３】特開２００１−１６５３６号公報
【特許文献４】特開２００３−１６９７３４号公報
【特許文献５】特開２００２−９４７２９号公報
【考案の開示】
【考案が解決しようとする課題】
【０００５】
しかしながら、上記に提案されているフォトスタンドのいずれも、画像を表示する際までに種々の設定や操作を必要としていた。
【０００６】
また、上記に提案されているカラーファクシミリ等による転送を用いても、転送機能が不可欠であるばかりか、転送元と転送先の機器間の設定が必要とされていた。
【０００７】
ゆえに、本発明は、簡易な手法で画像を表示可能なフォトスタンド等を提供することを目的とする。
【課題を解決するための手段】
【０００８】
請求項１にかかる考案は、携帯電話機と通信して画像を表示部に表示可能なフォトスタンドであって、前記携帯電話機により送られる電子メールを受信する受信部と、前記受信部が受信した電子メールに画像データが添付されているか否かを判別する判別部と、前記判別部の判別結果により画像データが添付されていた場合に当該画像データを記憶する記憶部と、前記記憶部に記憶された画像データによる画像を前記表示部に自動的に表示させる制御部とを備える。
【０００９】
請求項２にかかる考案では、請求項１において、前記受信部が前記電子メールを受信したことを報知する報知部を備える。
【００１０】
請求項３にかかる考案では、請求項１又は２において、前記制御部が、前記判別部の判別結果により画像データが添付されていない場合には表示部が表示する画像を維持する。なお、画像を維持するには、画像データが添付されていない電子メールが削除されればよい。
【００１１】
請求項４にかかる考案は、請求項１から３のいずれかにおいて、画像データを記憶する他の記憶部と、前記他の記憶部に記憶された画像データによる画像を前記表示部に表示させる制御部とを備える。この記憶部は、フォトスタンドに内蔵されてもよく、ＳＤカードのような別体で外付によるものであってもよい。
【００１２】
請求項５にかかる考案は、請求項１から４のいずれかにおいて、前記画像データに代えてスクリーンセーバ機能による画像を前記表示部に表示させる制御部とを備える。これにより、フォトスタンドとは異なる趣きとなり、インテリア商品として付加価値があがる。
【００１３】
請求項６にかかる考案は、画像を表示部に表示可能な表示装置であって、画像データが含まれた情報を受信する受信部と、前記受信部が受信した情報に画像データが含まれているか否かを判別する判別部と、前記判別部の判別結果により画像データが含まれていた場合に当該画像データを記憶する記憶部と、前記記憶部に記憶された画像データによる画像を前記表示部に自動的に表示させる制御部とを備える。
【００１４】
請求項７にかかる考案では、請求項６において、前記受信部が受信する情報には、携帯電話機により送られる電子メールが含まれる。
【００１５】
請求項８にかかる考案は、画像表示システムであって、請求項１からと５のいずれかに記載のフォトスタンド又は請求項６若しくは７記載の表示装置と、請求項１からと５のいずれかに記載のフォトスタンド又は請求項６若しくは７記載の表示装置と通信可能な画像配信装置とを備え、前記画像配信装置が、請求項１からと５のいずれかに記載のフォトスタンド又は請求項６若しくは７記載の表示装置に送信される複数の画像データを記憶する配信データ記憶部と、前記配信データ記憶部に記憶された複数の画像データを請求項１からと５のいずれかに記載のフォトスタンド又は請求項６若しくは７記載の表示装置に順次配信する配信部とを有し、請求項１からと５のいずれかに記載のフォトスタンド又は請求項６若しくは７記載の表示装置が、前記表示部によって前記配信された画像データによる画像を表示するものである。
【００１６】
請求項９にかかる考案では、請求項８において、前記画像配信装置の配信部が、ユーザがＷｅｂサイトにより設定した情報に応じた画像データを配信する。
【００１７】
請求項１０にかかる考案は、画像印刷システムであって、請求項１からと５のいずれかに記載のフォトスタンド又は請求項６若しくは７記載の表示装置と、情報通信ネットワークを介して請求項１からと５のいずれかに記載のフォトスタンド又は請求項６若しくは７記載の表示装置の表示部によって表示される画像を印刷可能な印刷装置とを備えるものである。
【考案の効果】
【００１８】
本考案によれば、例えば受信した電子メールに画像データが添付されているか否かを判別し、判別結果により画像データが添付されていた場合に当該画像データを記憶し、記憶された画像データによる画像を表示部に自動的に表示させるので、電子メールというような簡便な通信方法を使い、表示のための特別な操作を不要とした自動的な表示が可能になる。
【考案を実施するための最良の形態】
【００１９】
図１は本考案の実施の形態にかかる画像表示システムの概略を示す図であり、図２は図１の本考案の実施の形態にかかるフォトスタンド７の内部構成を示した概略ブロック図である。
【００２０】
画像表示システム１は、携帯電話機（ＰＨＳを含む。）３と、メールサーバ５と、フォトスタンド７とを備える。簡単に画像表示システム１について説明すると、フォトスタンド７には電子メールアドレスが与えられており、その電子メールアドレス宛に携帯電話機３から画像データを添付した電子メールを送る。この電子メールはメールサーバ５を経由してフォトスタンド７に送られ、フォトスタンド７はその電子メールを受信して自動的に添付画像データによる画像を表示する。このように、電子メールが送られてくるタイミングで画像が自動的に表示されて、意外性のあるフォトスタンド７が提供される。なお、携帯電話機３から電子メールに添付する画像データは、カメラ機能付の携帯電話機によって得た画像データでもよく、画像データを提供するサイトからダウンロードして得られたものでもよく、転送されて受け取った電子メールに添付されていたものでもよく、ＳＤカードのような外部から外付される記憶媒体によって得られるものでもよい。
【００２１】
図２を用いて、さらにフォトスタンド７について説明する。フォトスタンド７は、受信部９と、判別部１１と、主記憶部（メモリ）１３と、制御部１５と、表示部１７と、報知部１９と、補助記憶部（メモリ）２１と、発信部２３と、接続部２４と、を備える。受信部９は、電子メールと赤外線通信による画像データを受信でき、メール受信部と赤外線受信部とを有してもよい。以下、動作について説明する。
【００２２】
受信部９はフォトスタンド７の電子メールアドレス宛の電子メールを受信し、判別部１１は受信部９が受信した電子メールに画像データが添付されているか否かを判別する。判別部１１の判別結果として画像データの添付があるという結果が得られれば、主記憶部１３は受信部９が受信した電子メールに添付された画像データを記憶する。制御部１５は主記憶部１３に記憶されている画像データを表示部１７に自動的に表示させる。
【００２３】
一方、判別部１１の判別結果が画像データの添付がないということであれば、受信部９はその電子メールを削除し、表示部１７は主記憶部１３に記憶されている画像データによる画像を維持する。
【００２４】
ここで、このフォトスタンド７では、受信部９が電子メール９を受信したときに報知部１９が着信音等により報知するようにしているが、判別部１１の判別結果が画像データの添付ありという結果が得られた場合にブザー音等によって報知してもよく、さらに、判別部１１が主記憶部１３に記憶させるべき画像データであるか否かを判別するような機能を有するような場合には制御部１５と連動して表示部１７が画像の表示を切り替える際にブザー音等によって報知してもよい。
【００２５】
なお、主記憶部１３はフラッシュメモリのようなものであればよく、電子メールに添付された新たな画像データに書き換えていけばよい。
【００２６】
また、フォトスタンド７が、主記憶部１３とは異なる他の補助記憶部２１を内蔵し、或いは接続部２４を介してＳＤカード等によって外部から外付けされる他の記憶部を有し、制御部１５はその補助記憶部２１等に記憶された画像データによる画像を表示部１７に表示させてもよい。この補助記憶部２１には主記憶部１３に記憶される画像データを記憶できるようにしてもよく、この場合には過去に表示された画像を呼び出して表示することができる。ここで、主記憶部１３と補助記憶部２１は別体である必要はないが、少なくとも記憶領域として区別できる必要がある。
【００２７】
なお、上記では、電子メールによる画像データの受信の場合について説明したが、赤外線通信によって画像データを受信部９が受信するようにしてもよい。さらに、赤外線以外の無線ＬＡＮその他の無線通信網から電波による情報を受信し、その情報に画像データが含まれている場合においても上述した電子メールを用いた処理を行ってもよい。
【００２８】
さらに説明する。フォトスタンド７は制御部１５によってスクリーンセーバ機能を有し、このスクリーンセーバ機能は表示部１７に表示された画像が一定期間切り替わっていない場合或いは操作ボタン等によってユーザがスクリーンセーバ機能に設定した場合等に動作し、フォトスタンド７は写真立てとしての役割のみでなく、例えば３Ｄグラフィックスのような画像を表示できる。これにより、フォトスタンド７はさらに付加価値の高いインテリア商品として提供される。また、印刷を希望するのであれば、インターフェースとしての接続部２４を設けているので、プリンタなどの外部機器と接続すれば手軽に画像をプリントアウトできる。
【００２９】
図３は本考案の実施の形態にかかる画像表示システムの概略を示した図である。
【００３０】
この画像表示システム２７は、フォトスタンド７と、サイト２９と連動する配信サーバ３１とを備える。配信サーバ３１は、記憶部３１ａと配信部３１ｂとを備える。
【００３１】
動作について説明する。フォトスタンド７に画像の配信を希望するユーザが配信専用のサイト２９に配信希望内容について登録する。配信サーバ３１の記憶部３１ａには種々のカテゴリの画像データが記憶されており、配信部サーバ３１は、ユーザによって登録された設定情報に基づいて配信部３１ｂから画像データを順次電子メールに添付してフォトスタンド７の電子メールアドレス宛に配信する。フォトスタンド７は、順次配信される電子メールに添付されている画像データによる画像を表示することにより、スライドショーのように表示を行える。
【００３２】
なお、サイト２９へのユーザが登録する手法としては、パソコン等の情報処理端末からでもよく、携帯電話機等の携帯端末からでもよく、登録のための機能を有するのであればフォトスタンド７からでもよい。フォトスタンド７から配信登録を行う場合には、図２の発信部２３より携帯・無線ＬＡＮなどの通信回線を介して、サイト２９にアクセスすればよい。
【００３３】
また、フォトスタンド７にスライドショーのように表示される画像のなかで、画像データとして保存しておこうと思えば、サイト２９からダウンロードできるようにしてもよい。このダウンロードは、パソコン等の情報処理端末に行ってもよく、携帯電話機等の携帯端末に行ってもよく、機能を有するのであれば例えば図２の補助記憶部２１に記憶できるようにしてフォトスタンド７に行ってもよい。フォトスタンド７からダウンロードするのであれば、図２の発信部２３より携帯・無線ＬＡＮなどの通信回線を介して、専用サイトにアクセスし、サイトデータベース（たとえば配信サーバ３１の記憶部３１ａ）から行えばよい。
【００３４】
図４は本考案の実施の形態にかかる画像印刷システムの概略を示した図である。
【００３５】
この画像印刷システム３３は、フォトスタンド７と、情報通信ネットワーク３５を介してフォトスタンド７と接続する例えばフォトショップ３７内のプリンタ３７ａとを備える。
【００３６】
動作について簡単に説明する。フォトスタンド７に表示された画像の印刷を手元で印刷できないが印刷を希望する場合に、情報通信ネットワーク３５を利用し、フォトショップ３７のような印刷が可能なところに直接申し込みを行って、外部にあるプリンタ３７ａによって印刷を可能としている。このように、実質的には印刷機能をも有するフォトスタンドが得られ、付加価値があがる。具体的には、フォトスタンド７から申し込むのであれば、図２の発信部２３より携帯・無線ＬＡＮなどの通信回線を介して、ネットプリント専用サイトにアクセスし、申し込みによる予約を行えばよい。
【００３７】
なお、上記実施の形態では、画像を表示する表示装置としてフォトスタンドを示したが、電子メール通信機能と画像表機能とを有する他の情報処理端末であってもよい。当該情報処理端末という概念は、その名称に拘束されず、黒板などであってもよい。
【００３８】
また、上記実施の形態では、フォトスタンドという点からすれば画像データとしては静止画のためのデータが想定されているが、画像を表示する点からすれば動画であってもよい。
【図面の簡単な説明】
【００３９】
【図１】本考案の実施の形態にかかる画像表示システムの概略を示す図である。
【図２】図１の本考案の実施の形態にかかるフォトスタンド７の内部構成を示した概略ブロック図である。
【図３】本考案の実施の形態にかかる画像表示システムの概略を示した図である。
【図４】本考案の実施の形態にかかる画像印刷システムの概略を示した図である。
【符号の説明】
【００４０】
１、２７  画像表示システム
７  フォトスタンド
９  受信部
１１  判別部
１３  主記憶部
１５  制御部
１７  表示部
１９  報知部
２１  補助記憶部
３１  配信サーバ
３１ａ  記憶部
３１ｂ  配信部
３３  画像印刷システム
３７ａ  プリンタ
【図２】
0003131620.tif 000003
【図１】
0003131620.tif 000004
【図３】
0003131620.tif 000005
【図４】
0003131620.tif 000006